(57)【要約】  表示されるコンテンツによっては輝度が上昇する場合があることを視聴者が把握することができる受信装置を提供する。コンテンツのサービス情報から、前記コンテンツに含まれる映像の輝度情報を取得する取得部と、前記輝度情報に基づいて、前記コンテンツの輝度が基準値よりも高いか否か判定する輝度判定部と、前記輝度判定部の判定結果に基づいて、前記輝度が基準値より高い場合に、輝度に関する情報である通知情報を生成する通知情報生成部と前記通知情報を出力する出力部と、を有する。
2017047466.tif 000002
【特許請求の範囲】
【請求項１】
コンテンツのサービス情報から、前記コンテンツに含まれる映像の輝度情報を取得する取得部と、
前記輝度情報に基づいて、前記コンテンツの輝度が基準値よりも高いか否か判定する輝度判定部と、
前記輝度判定部の判定結果に基づいて、前記輝度が基準値より高い場合に、輝度に関する情報である通知情報を生成する通知情報生成部と、
前記通知情報を出力する出力部と、
を有する受信装置。
【請求項２】
前記通知情報が出力された後に、前記コンテンツを表示する輝度の上限値を上げる指示が入力されると、前記指示に応じた輝度で前記コンテンツを表示部に表示させる映像処理部
を有する請求項１記載の受信装置。
【請求項３】
前記基準値は、入力部を介して行われるユーザからの入力、コンテンツを表示する輝度の上限値を示す情報、のうち少なくともいずれか１つに基づいて決定される
請求項１または請求項２記載の受信装置。
【請求項４】
前記コンテンツを表示する輝度の上限値を指定する情報は、前記サービス情報に含まれている
請求項３記載の受信装置。
【請求項５】
前記通知情報は、コンテンツを表示する輝度を定められた輝度に制限するか否かを問い合わせる情報を含み、
前記映像処理部は、前記制限することを表す指示が入力されると、前記コンテンツを前記定められた輝度に収まるように前記表示部に表示させる
請求項２から請求項４のうちいずれか１項に記載の受信装置。
【請求項６】
前記定められた輝度は、入力部を介して行われるユーザからの入力または、前記サービス情報に含まれる情報に基づいて決定される。
請求項５記載の受信装置。
【請求項７】
表示される映像から受ける光刺激又は光感受性に対するユーザの反応を得るためのテスト映像を表示させるテスト映像表示制御部と、
前記テスト映像に対するユーザからの回答を取得するテスト回答取得部と、を有し、
前記映像処理部は、前記テスト回答取得部が取得した回答が、前記基準値よりも高い輝度のコンテンツを視聴可能であることを表す回答である場合に、前記基準値よりも高い輝度でコンテンツを表示部に表示させる
請求項１から請求項６のうちいずれか１項に記載の受信装置。
【請求項８】
表示される映像から受ける光刺激又は光感受性に対するユーザの反応を得るためのテスト映像を表示させるテスト映像表示制御部と、
前記テスト映像に対するユーザからの回答を取得するテスト回答取得部と、
前記テスト回答取得部が取得した回答に応じて、基準値よりも高い輝度のコンテンツを表示するか否かに対応した輝度に従って前記コンテンツを表示部に表示させる映像処理部
を有する受信装置。
【請求項９】
受信装置における受信方法であって、
コンテンツのサービス情報から、前記コンテンツに含まれる映像の輝度情報を取得する取得ステップと、
前記輝度情報に基づいて、前記コンテンツの輝度が基準値よりも高いか否か判定する輝度判定ステップと、
前記輝度判定ステップの判定結果に基づいて、前記輝度が基準値より高い場合に、輝度に関する情報である通知情報を生成する通知情報生成ステップと、
前記通知情報を出力する出力ステップと、
を有する受信方法。
【請求項１０】
受信装置のコンピュータに、
コンテンツのサービス情報から、前記コンテンツに含まれる映像の輝度情報を取得する取得ステップと、
前記輝度情報に基づいて、前記コンテンツの輝度が基準値よりも高いか否か判定する輝度判定ステップと、
前記輝度判定ステップの判定結果に基づいて、前記輝度が基準値より高い場合に、輝度に関する情報である通知情報を生成する通知情報生成ステップと、
前記通知情報を出力する出力ステップと、
を実行させるためのプログラム。
【発明の詳細な説明】
【技術分野】
【０００１】
本発明は、受信装置、受信方法、プログラムに関する。
本願は、２０１５年９月１８日に、日本に出願された特願２０１５−１８５５１３号に基づき優先権を主張し、その内容をここに援用する。
【背景技術】
【０００２】
センサー技術や画像処理技術の発展に伴い、ＨＤＲ（Ｈｉｇｈ  Ｄｙｎａｍｉｃ  Ｒａｎｇｅ；ハイダイナミックレンジ、高ダイナミックレンジ、広帯域ダイナミックレンジとも呼ばれる）映像への関心が高まり、その活用が試みられている。ＨＤＲ映像とは、通常の映像よりも広い範囲の輝度を有する映像である。これに対し、通常の映像は、ＬＤＲ（Ｌｏｗ  Ｄｙｎａｍｉｃ  Ｒａｎｇｅ；ローダイナミックレンジ）映像、又はＳＤＲ（Ｓｔａｎｄａｒｄ  Ｄｙｎａｍｉｃ  Ｒａｎｇｅ；通常ダイナミックレンジ）映像と呼ばれる。今後は、放送サービスにおいてＨＤＲ映像が導入されることが予想される。【０００３】
しかしながら、放送サービスにおいて、常にＨＤＲ映像が提供されるとは限らない。番組によりＨＤＲ映像とＳＤＲ映像が使い分けられることが予想される。そのため、受信装置は、番組の切り替わりに応じて輝度範囲の変化に対応することが求められる。
そこで、送信装置において放送されるコンテンツに、輝度範囲がＨＤＲであるかＳＤＲであるかを示す輝度情報を付加し、受信装置が輝度情報に基づいて各種のパラメータを設定するための技術的要件について規格化が進められている。パラメータには、例えば、ピーク輝度、γ値、コントラストなどが含まれる。パラメータの設定は、受信側において送信側の意図に沿った輝度やコントラストに調整された映像が視聴されることを目的とする。【０００４】
このようなＨＤＲ映像を表示可能な映像表示装置として、例えば、特許文献１に記載の映像表示装置がある。この特許文献１に記載の映像表示装置において、発光検出部は、入力映像信号の明るさに関連する所定の特徴量を用い、映像信号の発光量を特徴量との関係によって予め規定しておき、入力映像信号のフレームごとの特徴量から発光量を検出する。黒検出部は、入力映像信号から、所定の条件に基づいて黒表示を行う量を検出する。バックライト輝度ストレッチ部は、検出した発光量に応じてバックライトの光源輝度をストレッチするが、その際に、黒検出部により検出した黒表示を行う量に基づいてバックライトの輝度ストレッチ量を制限する。
【先行技術文献】
【特許文献】
【０００５】
【特許文献１】特許第５１６５８０２号公報
【発明の概要】
【発明が解決しようとする課題】
【０００６】
しかしながら、放送サービスにおいて、番組の切り替わりに伴い、ＳＤＲ映像に対応した輝度範囲からＨＤＲ映像に対応した輝度範囲に単純に変更して画面上に表示すると、番組を視聴する視聴者に対し、違和感を与えたり、光感受性などにより体調に影響を与える可能性がある。ここで、ＳＤＲ映像からＨＤＲ映像に切り替わると輝度が上昇することそのものを視聴者が知らない場合においても、やはり、視聴者に対し、違和感を与えたり、光感受性などにより体調に影響を与える可能性がある。
この点、特許文献１に記載の受信装置は、コンテンツによっては輝度が上昇する可能性があることを視聴者が認識するような構成については記載されていない。【０００７】
本発明は、このような事情に鑑みてなされたもので、その目的は、表示されるコンテンツによっては輝度が上昇する場合があることを視聴者が把握することができる受信装置、受信方法、プログラムを提供することにある。
【課題を解決するための手段】
【０００８】
上述した課題を解決するために、本発明は、コンテンツのサービス情報から、前記コンテンツに含まれる映像の輝度情報を取得する取得部と、前記輝度情報に基づいて、前記コンテンツの輝度が基準値よりも高いか否か判定する輝度判定部と、前記輝度判定部の判定結果に基づいて、前記輝度が基準値より高い場合に、輝度に関する情報である通知情報を生成する通知情報生成部と、前記通知情報を出力する出力部と、を有する。
【発明の効果】
【０００９】
本発明の実施形態によれば、表示されるコンテンツによっては輝度が上昇する場合があることを視聴者が把握することができる。
【図面の簡単な説明】
【００１０】
【図１】第１の実施形態に係る放送システムの構成を示す概略ブロック図である。
【図２】信号レベルと輝度の関係の一例を示す図である。
【図３】信号レベルと輝度の関係の他の例を示す図である。
【図４】第１の実施形態に係る送信装置の構成を示す概略ブロック図である。
【図５】ＭＰＴのデータ構造の一例を示す図である。
【図６】映像コンポーネント記述子のデータ構造の一例を示す図である。
【図７】輝度フラグの設定例を示す図である。
【図８】ＭＨ−ＥＩＴのデータ構造の一例を示す図である。
【図９】第１の実施形態に係る受信装置の構成を示す概略ブロック図である。
【図１０】映像の輝度範囲の時間変化の例を示す図である。
【図１１】本実施形態に係る輝度範囲の制御を示すフローチャートである。
【図１２】本実施形態に係るテスト映像に対する回答に応じた表示を行う処理を示すフローチャートである。
【図１３】表示部１５に表示される情報の一例を説明する概念図である。
【図１４】表示部１５に表示される情報の一例を説明する概念図である。
【図１５】ＨＤＲの映像データを表示する際の輝度を視聴者の指示に応じて決定する場合について説明する図である。
【図１６】ＨＤＲの映像データを設定された輝度の上限値で表示する場合について説明する図である。
【図１７】光刺激に対する視聴者の反応を得る場合について説明する図である。
【図１８】表示部１５に映像データを表示する際の輝度を設定する画面の一例を説明する図である。
【図１９】光過敏症の視聴者が受信装置１０の利用者の中にいるか否かを問い合わせする場合について説明する図である。
【発明を実施するための形態】
【００１１】
以下、本発明の実施形態について、図面を参照して説明する。
［第１の実施形態］
まず、本発明の第１の実施形態に係る放送システム１の概要について説明する。
図１は、本実施形態に係る放送システム１の構成を示す概略ブロック図である。
放送システム１は、送信装置２０と受信装置１０とを含んで構成される。
送信装置２０は、放送番組を表す放送番組データを、放送伝送路ＢＴを介して受信装置に送信する。放送伝送路ＢＴは、放送番組データを不特定多数の受信装置１０に一方的かつ一斉に送信する伝送路である。放送伝送路ＢＴは、例えば、所定の周波数帯域を有する放送波である。放送伝送路ＢＴは、放送波を中継する放送衛星ＢＳを含んで構成されてもよい。放送伝送路ＢＴには、その一部にネットワーク、例えば、専用回線、ＶＰＮ（Ｖｉｒｔｕａｌ  Ｐｒｉｖａｔｅ  Ｎｅｔｗｏｒｋ）が含まれてもよい。受信装置１０は、放送伝送路ＢＴを介して伝送された放送番組データを受信する。受信装置１０は、受信した放送番組データを構成する映像データに基づく映像を表示する。受信装置１０は、例えば、テレビジョン受信装置など、放送番組データを受信し、受信した放送番組データに係る映像を表示することができる電子機器である。送信装置２０、受信装置１０の数は、一般には複数であるが、以下では、それぞれの数が１個であると仮定して説明する。また、放送システム１は、メディアトランスポート方式としてＭＭＴ（ＭＰＥＧ  Ｍｅｄｉａ  Ｔｒａｎｓｐｏｒｔ）方式を用いる場合を例にする。
【００１２】
放送システム１は、輝度のダイナミックレンジが、互いに異なる複数の放送番組を放送することができる。言い換えれば、放送システム１において、ＨＤＲ放送番組とＳＤＲ放送番組が放送される。ＨＤＲ放送番組は、輝度範囲がＨＤＲであるＨＤＲ映像を構成要素として含む放送番組である。ＳＤＲ放送番組は、輝度範囲がＳＤＲであるＳＤＲ映像を構成要素として含む放送番組である。ＨＤＲ映像を表す映像データ、ＳＤＲ映像を表す映像データを、それぞれＨＤＲ映像データ、ＳＤＲ映像データと呼ぶ。
【００１３】
（映像の輝度）
輝度には、光学輝度と画像輝度との２種類がある。光学輝度とは、光源の明るさを表す物理量の１つである。光学輝度は、例えば、ディスプレイの明るさを表すときに用いられる。本実施形態では、一例として、０〜６０００ｃｄ／ｍ２の輝度範囲をＨＤＲと称し、０〜３００ｃｄ／ｍ２の輝度範囲をＳＤＲと称する。つまり、ＨＤＲは、ＳＤＲによりも広い光学輝度のダイナミックレンジを示す。なお、ＨＤＲ、ＳＤＲの輝度範囲は上述したものに限定されず、例えば、放送システムに応じて任意に定められてよい。以下では、光学輝度のダイナミックレンジを単にダイナミックレンジと呼ぶことがある。画像輝度とは、映像の明るさを表す信号レベル又はその相対値で表される輝度を意味する。以下、光学輝度、画像輝度を、それぞれ単に輝度と呼ぶことがある。
【００１４】
放送システム１は、ＨＤＲ映像データ又はＳＤＲ映像データを含む放送番組データを伝送する。ＨＤＲ映像データは、例えば、Ｒｅｃ．ＩＴＵ−Ｒ（Ｉｎｔｅｒｎａｔｉｏｎａｌ  Ｔｅｌｅｃｏｍｍｕｎｉｃａｔｉｏｎ  Ｕｎｉｏｎ  −  Ｒａｄｉｏｃｏｍｍｕｎｉｃａｔｉｏｎ  Ｓｅｃｔｏｒ、国際電気通信連合無線通信部門）  ＢＴ．２０２０により規定される映像フォーマットで構成される。この映像フォーマットを、ＨＤＲ形式と呼ぶ。ＨＤＲ形式は、ＳＤＲ映像データにも適用可能であり、ＵＨＤＴＶ（Ｕｌｔｒａ−Ｈｉｇｈ  Ｄｅｆｉｎｉｔｉｏｎ  Ｔｅｌｅｖｉｓｉｏｎ）に用いられる、以下では、一例として、映像データがＹＣｂＣｒの色空間で表現されるデータである場合について説明する。ただし、映像ソースは、ＲＧＢ等の他の色空間で表現されるデータであってもよい。
【００１５】
ＨＤＲ形式では、画像輝度の信号レベルと、輝度範囲としてＨＤＲとが対応付けられている。例えば、図２に示すようにＨＤＲ形式において、０〜５０％の画像輝度の信号レベルは、０〜３００ｃｄ／ｍ２の光学輝度に対応し、５０〜１００％の画像輝度の信号レベルは、例えば、３００〜６０００ｃｄ／ｍ２の光学輝度に対応する。従って、ＨＤＲ形式により伝送されるＨＤＲ映像データでは、画像輝度の信号レベルは、０〜１００％の範囲を取りうる。以下では、映像データについて、とりうる信号レベルの範囲を、レベル範囲と称する。この例では、ＨＤＲ映像データを構成する画素毎の信号値の最小値（例えば、黒レベル；ｂｌａｃｋ  ｌｅｖｅｌ）、最大値（例えば、公称ピーク；ｎｏｍｉｎａｌ  ｐｅａｋ）が、それぞれ０、１００％に対応する。画素毎の信号値が１２ビットで表される場合、黒レベル、公称ピークの信号値は、例えば、６４、３８４０である。
【００１６】
ＳＤＲ映像データは、例えば、Ｒｅｃ．ＩＴＵ−Ｒ  ＢＴ．７０９により規定される映像フォーマットである。この映像フォーマットを、ＳＤＲ形式と呼ぶ。ＳＤＲ形式は、ＨＤＴＶ（Ｈｉｇｈ  Ｄｅｆｉｎｉｔｉｏｎ  Ｔｅｌｅｖｉｓｉｏｎ）に用いられる。ＳＤＲ形式では、画像輝度の信号レベルと、ＳＤＲとが対応付けられている。例えば、図３に示すようにＳＤＲ形式では、０〜１００％のレベル範囲は０〜３００ｃｄ／ｍ２の光学輝度に対応する。ＳＤＲ映像データの画像輝度の信号レベルは、０〜１００％の範囲を取りうる。この例では、ＳＤＲ映像データを構成する画素毎の信号値の最小値、最大値が、それぞれ０、１００％に対応する。画素毎の信号値が１０ビットで表される場合、黒レベル、公称ピークの信号値は、例えば、１６、９６０である。
以下の説明では、主にＨＤＲ映像の画像輝度の範囲のうち０〜５０％の範囲に対応する光学輝度が、ＳＤＲ映像の画像輝度の範囲（０〜１００％）に対応する光学輝度の範囲（０〜３００ｃｄ／ｍ２）である場合を例にする。
【００１７】
次に、受信装置１０が備える表示部１５（図９）について説明する。表示部１５は、受信装置１０とは、別体の表示装置として構成されてもよい。表示部１５は、光学輝度の範囲がＨＤＲでも、ＳＤＲでも映像を表示可能なディスプレイである。具体的には、表示部１５は、入力されたＨＤＲ映像信号について、画像輝度の信号レベルが０〜５０［％］である場合には、０〜３００［ｃｄ／ｍ２］の光学輝度で表示する。また、表示部１５は、信号レベルが５０〜１００［％］である場合には、３００〜６０００［ｃｄ／ｍ２］の光学輝度で表示する。具体的には、表示部１５は、例えば、図２に例示する電光伝達関数（ＥＯＴＦ、Ｅｌｅｃｔｒｏ  Ｏｐｔｉｃａｌ  Ｔｒａｎｓｆｅｒ  Ｆｕｎｃｔｉｏｎ）に基づいて、画像輝度の信号レベルに応じた光学輝度で表示を行う。ＥＯＴＦとは、ディスプレイに入力される輝度の信号値と、ディスプレイが表示する輝度との対応関係を記述する関数である。
【００１８】
（処理の概要）
次に、放送番組用の映像データの撮像から、映像が表示部１５に表示されるまでの処理の概要を説明する。ここで、映像データの撮像装置（図示せず）は、被写体ＳＵ１、ＳＵ２を撮像し、被写体ＳＵ１、ＳＵ２の光学輝度が、それぞれ２００、２０００［ｃｄ／ｍ２］であることを例にする。被写体ＳＵ１の光学輝度は、ＳＤＲの範囲内であるが、被写体ＳＵ２の光学輝度は、ＳＤＲの上限を超える。送信装置２０は、撮像された映像データを、ＳＤＲ映像データ又はＨＤＲ映像データとして放送番組データの構成要素として受信装置１０に送信する。受信装置１０は、送信装置２０から受信した放送番組データから映像データを取得し、取得した映像データを表示部１５に出力する。
【００１９】
映像データが、ＳＤＲ映像データである場合、被写体ＳＵ１の信号レベルは、０〜１００％の範囲内である。他方、被写体ＳＵ２の光学輝度に対応する信号レベルは、１００％を超えるため１００％となる。そのため、表示部１５は、被写体ＳＵ１を２００ｃｄ／ｍ２の範囲内の光学輝度で表示するのに対し、被写体ＳＵ２が表示される光学輝度は、その上限３００ｃｄ／ｍ２に抑えられる。
映像データが、ＨＤＲ映像データである場合、被写体ＳＵ１、ＳＵ２の信号レベルは、０〜５０％、５０〜１００％の範囲内である。そのため、表示部１５は、被写体ＳＵ１、ＳＵ２をそれぞれ、撮像により得られた光学輝度に等しい２００、２０００［ｃｄ／ｍ２］の光学輝度で表示する。
このように、ＨＤＲディスプレイで表示されるＨＤＲ映像は、撮像により得られた光学輝度が画像輝度の信号レベルに対応する輝度範囲がＳＤＲ映像よりも広い。そのため、被写体ＳＵ１と被写体ＳＵ２は異なる光学輝度で表現される。
【００２０】
映像の輝度範囲が、ＨＤＲとＳＤＲとの間で切り替わる場合には、受信装置１０は、表示部１５に対して信号レベルの範囲、ならびに信号輝度と光学輝度との関係を示すＥＯＴＦの設定を変更する。設定の変更によって表現可能な映像の輝度範囲が切り替わるので、映像の輝度が変化する。この映像の輝度の変化は、視聴者が違和感を覚えることや光感受性などにより体調を害する原因となりうる。
そこで、本実施形態に係る受信装置１０は、コンテンツのサービス情報から、このコンテンツに含まれる映像の輝度情報を取得し、得られた輝度情報に基づいて、コンテンツの輝度が基準値よりも高いか否か判定し、この判定結果に基づいて、輝度が基準値より高い場合に、輝度に関する情報である通知情報を生成し、出力する。
ここでいう輝度情報は、輝度すなわち上述の光学輝度の輝度範囲であってもよいし、コントラスト比であってもよい。また、基準値としては、任意に決まる値を用いてもよく、ＳＤＲの輝度範囲を用いてもよい。ＳＤＲの輝度範囲を用いる場合は、ＳＤＲの輝度範囲における最大値を基準値とし、コンテンツの輝度（輝度範囲）が、これを超える輝度（輝度範囲）であるか否かを判定する。輝度に関する情報としては、ＳＤＲの輝度範囲よりも大きな輝度（輝度範囲）で映像データが表示されることを表す情報を用いるようにしてもよい。通知情報の出力の仕方としては、視聴者が認識することが可能な態様であればよく、表示装置（表示部１５）に出力することで、その旨のメッセージを表示させるようにしてもよいし、スピーカーに出力することでメッセージを音声で伝達してもよいし、所定のランプを点灯させるための指示をランプ等に出力するようにしてもよい。
これにより、視聴者は、ＨＤＲの輝度範囲にて映像データが表示される可能性があることを事前に把握することが可能となる。
【００２１】
（送信装置の構成）
次に、本実施形態に係る送信装置２０の構成について説明する。
図４は、本実施形態に係る送信装置２０の構成を示す概略ブロック図である。
送信装置２０は、放送番組データとサービス情報とを多重化し、多重化した多重化データを放送波で送信する。送信装置２０は、サービス情報取得部２１０、放送コンテンツ取得部２２０、多重化部２３０、変調部２４０、及び送信部２５０を含んで構成される。
【００２２】
サービス情報取得部２１０は、サービス情報を取得する。サービス情報とは、放送番組の提供形態、構成など放送サービスの提供に関する情報である。サービス情報は、例えば、ＭＭＴ方式におけるＭＭＴ−ＳＩ（Ｓｅｒｖｉｃｅ  Ｉｎｆｏｒｍａｔｉｏｎ）である。ＭＭＴ−ＳＩ情報には、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。ＭＰＴは、放送番組の構成要素であるアセット、つまり映像、音声のリストや、それらの提供条件を示す情報を含むテーブルである。ＭＨ−ＥＩＴは、番組に関する情報、例えば、番組の名称、放送日時、放送内容の説明などを示す情報を含むテーブルである。放送される映像の輝度情報を示す輝度フラグは、例えば、ＭＰＴに含まれる。言い換えれば、輝度フラグは、輝度範囲がＨＤＲであるかＳＤＲであるかを示す。番組の名称、放送日時、放送内容の説明など、番組に関する情報を伝送するテーブルであるＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。サービス情報取得部２１０は、取得したサービス情報を所定時間（例えば、０．１〜０．５ｍｓ）毎に多重化部２３０に出力する。サービス情報は、番組の進行に応じて更新されるが、更新されない場合には、同一のサービス情報が複数回繰り返されることがある。これにより、受信装置１０が任意の時点で受信した放送信号に基づいて放送番組を提示することができる。
【００２３】
放送コンテンツ取得部２２０は、放送番組データを取得する。放送番組データは、放送番組の内容（コンテンツ）を表すデータである。放送番組データは、例えば、放送番組で提供される映像データ、音声データなどが含まれる。放送コンテンツ取得部２２０は、取得した放送番組データを多重化部２３０に出力する。
【００２４】
多重化部２３０には、サービス情報取得部２１０から入力されたサービス情報と、放送コンテンツ取得部２２０から入力された放送番組データを多重化して多重化データを生成する。多重化部２３０は、生成した多重化データを変調部２４０に出力する。
変調部２４０は、多重化部２３０から入力された多重化データを変調して所定の放送周波数帯域を有する放送信号を生成し、生成した放送信号を送信部２５０に出力する。
送信部２５０は、変調部２４０から入力された放送信号を放送伝送路ＢＴに出力する。これにより、放送番組データとサービス情報を多重化した多重化データを搬送する放送信号が放送伝送路ＢＴを介して伝送される。放送信号は、例えば、放送波として伝送される。
【００２５】
（ＭＰＴ）  次に、ＭＰＴのデータ構造について説明する。
図５は、ＭＰＴのデータ構造の一例を示す図である。ＭＰＴは、アセットタイプ（ａｓｓｅｔ＿ｔｙｐｅ）と、アセット記述子領域（ａｓｓｅｔ＿ｄｅｓｃｒｉｐｔｏｒｓ＿ｂｙｔｅ）をアセット毎に含んで構成される。アセットタイプ（ａｓｓｅｔ＿ｔｙｐｅ）は、アセットの種類を示す情報である。例えば、アセットタイプとして「ｈｖｃ１」が記述されるアセットは映像を示し、アセットタイプとして「ｍｐ４ａ」が記述されるアセットは音声を示す。
アセット記述子領域は、アセットについての情報を記述する記述子を格納する領域である。アセット記述子領域には、例えば、映像コンポーネント記述子（Ｖｉｄｅｏ＿Ｃｏｍｐｏｎｅｎｔ＿Ｄｅｓｃｒｉｐｔｏｒ）が記述される。
【００２６】
（映像コンポーネント記述子）
次に、映像コンポーネント記述子について説明する。
図６は、映像コンポーネント記述子のデータ構造の一例を示す図である。映像コンポーネント記述子は、映像コンポーネントに関するパラメータや説明を示す記述子である。映像コンポーネント記述子には、未使用パラメータ（ｒｅｓｅｒｖｅｄ）と、コンポーネント記述（ｔｅｘｔ＿ｃｈａｒ）とを含む。本実施形態では、未使用パラメータ（ｒｅｓｅｒｖｅｄ）と、コンポーネント記述（ｔｅｘｔ＿ｃｈａｒ）のいずれかに輝度情報として輝度フラグが記述される。輝度フラグにより、放送される映像の輝度範囲がＨＤＲであるかＳＤＲであるかが指定される。
【００２７】
（輝度フラグ）
図７は、輝度フラグの値の設定例を示す図である。
輝度フラグ（ｖｉｄｅｏ＿ｈｄｒ＿ｆｌａｇ）は、図７に例示されるように、１ビットの情報を有し、１又は０の値をとりうる。値が０であることは、輝度範囲がＳＤＲであり、値が１であることは、輝度範囲がＨＤＲであることを示す。輝度フラグで指定される輝度範囲は、放送番組、１つの放送番組を構成するセグメント（コーナーとも呼ばれる）、１つの放送番組に含まれるＣＭ、などのそれぞれについて設定されることがある。
【００２８】
（ＭＨ−ＥＩＴ）
次に、ＭＨ−ＥＩＴについて説明する。図８は、ＭＨ−ＥＩＴのデータ構造の一例を示す図である。
図８に示す例では、ＭＨ−ＥＩＴ（ＭＨ−Ｅｖｅｎｔ＿Ｉｎｆｏｒｍａｔｉｏｎ＿Ｔａｂｌｅ（））は、イベント識別（ｅｖｅｎｔ＿ＩＤ）、開始時刻（ｓｔａｒｔ＿ｔｉｍｅ）、継続時間（ｄｕｒａｔｉｏｎ）を含む。イベント識別とは、イベントの識別番号を示す。具体的には、例えば、イベント識別は、番組の識別情報を示す。開始時刻は、イベントの開始時刻を示す。つまり、開始時刻は、番組の開始時刻（日時）を示す。継続時間は、イベントの継続時間を示す。つまり、継続時間は、番組の放送時間長を示す。
【００２９】
また、ＭＨ−ＥＩＴは、イベント識別毎に記述子領域（ｄｅｓｃｒｉｐｔｏｒ（））を含む。記述子領域は、記述子を格納する領域である。ＭＨ−ＥＩＴは、例えば、映像コンポーネント記述子を含むことができる。また、記述子領域には、ＭＨ−拡張形式イベント記述子（ＭＨ−Ｅｘｔｅｍｄｅｄ＿Ｅｖｅｎｔ＿Ｄｅｓｃｒｉｐｔｏｒ（））を含むことができる。ＭＨ−拡張形式イベント記述子には、各番組に関する詳細情報が記述される。詳細情報には、出演者、制作者、などの他、番組の一部であるセグメント（コーナーとも呼ばれる）毎の情報、例えば、提供開始時刻、継続時間、輝度フラグなどが含まれてもよい。
【００３０】
（受信装置）
次に、本実施形態に係る受信装置１０の構成について説明する。
図９は、本実施形態に係る受信装置１０の構成を示す概略ブロック図である。
受信装置１０は、放送受信部１１、入力部１２、拡声部１４、表示部１５、記憶部１６及び制御部１７を含んで構成される。
放送受信部１１は、放送伝送路ＢＴを介して送信装置２０から伝送された放送信号のうち、制御部１７の選局部１７８からの選局信号で指定されるチャンネルで伝送された放送信号を受信する。放送受信部１１は、例えば、放送波を受信するチューナーを含んで構成される。チューナーは、選局信号で指定されたチャンネルに対応した周波数帯域の放送波を受信する。放送受信部１１は、受信した放送信号を制御部１７の復調部１７１に出力する。
【００３１】
入力部１２には、ユーザの操作によって生成された操作信号が入力される。入力部１２は、例えば、制御装置（リモコン）ＲＣからの操作信号を赤外線で受信する赤外線インターフェースを含んで構成される。操作信号は、例えば、電源のオン／オフ、放送波を受信するチャンネル、音量、輝度、コントラストなどの情報を指定する。入力部１２は、操作信号を制御部１７に出力する。なお、入力部１２は、ユーザの操作を受け付けるための物理的な部材、例えば、各種のボタン、つまみなどを含んで構成され、操作に応じた操作信号を生成してもよい。
【００３２】
拡声部１４は、制御部１７の音声処理部１７３から入力された音声データに基づく音声を再生する。拡声部１４は、例えば、スピーカーを含んで構成される。
表示部１５は、制御部１７の映像処理部１７４から入力された映像データに基づく映像を再生する。表示部１５は、上述したようにＨＤＲ映像データに基づくＨＤＲ映像と、ＳＤＲ映像データに基づくＳＤＲ映像とを表示可能なディスプレイである。
記憶部１６は、制御部１７で用いられる設定データ、制御部１７で取得されたデータなど各種のデータを記憶する。記憶部１６は、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）などの各種の記憶媒体を含んで構成される。また、記憶部１６は、受信した放送番組の映像データや、予め制作された映画などのコンテンツの映像データを記憶する記憶媒体（例えば、ＢＤ（Ｂｌｕ−ｒａｙ（登録商標）Ｄｉｓｃ））を含んで構成されてもよい。記憶部１６には、放送番組データと、当該放送番組データに多重化されたサービス情報とが対応付けて記憶されてもよい。
【００３３】
制御部１７は、受信装置１０の動作に係る各種の処理を行う。制御部１７は、復調部１７１、分離部１７２、音声処理部１７３、映像処理部１７４及び表示処理部１７５を含んで構成される。表示処理部１７５は、ＳＩ処理部１７６、表示制御部１７７、選局部１７８及びレベル制御部１７９を含んで構成される。制御部１７は、ＣＰＵ（Ｃｅｎｔｒａｌ  Ｐｒｏｃｅｓｓｉｎｇ  Ｕｎｉｔ）等の制御回路を含んで構成される。制御部１７は、記憶部１６から読み取った制御プログラムが表す命令で指示された処理を実行することにより、復調部１７１、分離部１７２、音声処理部１７３、映像処理部１７４、表示処理部１７５などの機能を実現してもよい。
【００３４】
復調部１７１は、放送受信部１１から入力された放送信号を復調して、多重化データを生成する。復調部１７１で用いられる復調方式は、変調部２４０（図４）で用いられる変調方式に対応する復調方式である。復調部１７１は、生成した多重化データを分離部１７２に出力する。
【００３５】
分離部１７２は、復調部１７１から入力された多重化データから放送番組データとサービス情報とを分離する。また、分離部１７２は、放送番組データから音声データと、映像データとを分離する。分離部１７２は、分離した音声データを音声処理部１７３に出力し、分離した映像データを映像処理部１７４に出力する。分離部１７２は、分離したサービス情報を表示処理部１７５に出力する。
【００３６】
音声処理部１７３は、分離部１７２から入力された音声データ（符号化されている）を復号し、復号した音声データを生成する。音声処理部１７３が用いる音声復号方式は、音声データの符号化に用いられた符号化方式に対応する音声復号方式（例えば、ＭＰＥＧ−４オーディオ）である。音声処理部１７３は、復号により生成された音声データを拡声部１４に出力する。
【００３７】
映像処理部１７４は、分離部１７２から入力された映像データ（符号化されている）をＳＩ処理部１７６から入力された輝度情報が示す輝度範囲で復号し、復号した映像データを生成する。映像処理部１７４が用いる映像復号方式は、映像データの符号化に用いられた符号化方式に対応する映像復号方式（例えば、ＨＥＶＣ：Ｈｉｇｈ  Ｅｆｆｉｃｉｅｎｃｙ  Ｖｉｄｅｏ  Ｃｏｄｉｎｇ）である。以下の説明では、分離部１７２から入力された映像データが示す映像を放送映像と呼ぶことがある。映像処理部１７４は、表示処理部１７５からの制御に基づいて放送映像の表示態様を調整する。表示態様として、例えば、各種のグラフィック画面（警告画面、メニュー画面、案内画面、など）の有無、放送された映像、つまり生成した映像データが表す映像の輝度、コントラスト、などが調整される。映像処理部１７４は、例えば、映像処理部１７４から入力されたグラフィック画面データが示すグラフィック画面を、復号した映像に重畳し、重畳した映像を調整された映像として生成する。
【００３８】
また、映像処理部１７４は、レベル制御部１７９の判定結果に基づいて、映像データの輝度が基準値より高い場合に、輝度に関する情報である通知情報（例えば、上述のグラフィック画面）を生成する。また、映像処理部１７４は、通知情報が表示部１５に出力された後に、映像データを表示する輝度の上限値を上げる指示が入力部１２から入力されると、入力された指示に応じた輝度で映像データを表示部１５に表示させる。ここで、基準値とは、ＨＤＲであるか否かを判断するための基準として用いられる情報であり、例えば、入力部１２を介して視聴者（ユーザ）から入力される値を用いてもよく、また、映像データを表示する輝度の上限値を示す情報、記憶部１６に予め記憶された情報、のうち少なくともいずれか１つを用いるようにしてもよい。上限値を指定する情報は、入力部１２を介して視聴者（ユーザ）から指定されてもよく、サービス情報に含まれていてこれを受信することで基準値として適用してもよい。ここで、視聴者が基準値を指定する場合には、自分人が不快と感じない程度の輝度を基準値とすることができる。また、映像データを表示する輝度の上限値を示す情報を用いる場合、例えば、ＳＤＲの輝度範囲のうち最大値を用いることができる。これによりＳＤＲの範囲よりも輝度が高い方に越える映像データが入力されたか否かを判断することが可能となる。
また、映像処理部１７４は、表示される映像から受ける光刺激又は光感受性に対する視聴者の反応を得るためのテスト映像を表示させる。映像処理部１７４は、入力部１２を介して視聴者から取得した回答が、基準値よりも高い輝度のコンテンツを視聴可能であることを表す回答である場合に、基準値よりも高い輝度でコンテンツを表示部１５に表示させる。
【００３９】
また、映像処理部１７４は、映像データが示す各画素の信号レベルが、レベル制御部１７９から入力された輝度範囲設定が示す輝度範囲内である画素について、その信号レベルを変更せずに維持する。映像処理部１７４は、映像データが示す各画素の信号レベルが、レベル制御部１７９から入力された輝度範囲設定が示す輝度範囲よりも信号レベルが大きい（または小さい）画素について、その信号レベルを輝度範囲毎の信号レベルの最大値（または最小値）に定める。映像処理部１７４は、調整された映像を示す映像データを表示部１５に出力する。
【００４０】
表示処理部１７５は、映像の表示に関する処理を行う。表示処理部１７５は、ＳＩ処理部１７６、表示制御部１７７、選局部１７８及びレベル制御部１７９を含んで構成される。
ＳＩ処理部１７６は、分離部１７２から入力されたサービス情報を解析する。具体的には、ＳＩ処理部１７６は、サービス情報からＭＰＴの映像コンポーネント記述子を抽出し、輝度フラグに設定された値を参照することにより輝度情報を取得する。ＳＩ処理部１７６は、取得した輝度情報を、映像処理部１７４、表示制御部１７７及びレベル制御部１７９に出力する。ＳＩ処理部１７６は、サービス情報からＭＨ−ＥＩＴを抽出し、抽出したＭＨ−ＥＩＴが示す番組情報を表示制御部１７７とレベル制御部１７９に出力する。
【００４１】
表示制御部１７７は、入力部１２からの操作信号、ＳＩ処理部１７６からの情報の一方又は両方に基づいて表示部１５に表示させるグラフィック画面の表示の要否、グラフィック画面の取得、変更などを制御する。グラフィック画面には、例えば、警告（コ―ション）画面、メニュー画面、などがある。メニュー画面には、表示部１５に表示する輝度、コントラストを設定するための映像設定画面がある。警告画面には、輝度範囲の変化、つまり拡大または縮小を通知するための輝度変化警告画面がある。輝度範囲の拡大を通知するための輝度変化警告画面には、例えば、輝度範囲の拡大による急激な輝度の増加を警告するためのメッセージとして、「映像が急に明るくなります！」などのメッセージが含まれてもよい。記憶部１６には、各種のグラフィック画面を示すグラフィック画面データを予め記憶させておく。
【００４２】
グラフィック画面には、放送映像の輝度範囲の変化に応じて表示する画面や、放送映像の輝度範囲により内容が異なる画面がある。例えば、輝度情報が示す輝度範囲が変化するとき、表示制御部１７７は、輝度変化警告画面の表示を開始させ、所定時間後（例えば、５秒後）に表示を停止（非表示）する。表示停止の指示が入力された際に表示を停止してもよい。輝度変化警告画面の表示を開始させるとき、表示制御部１７７は、記憶部１６から輝度変化警告画面を表すための輝度変化警告画面データを読み取り、読み取った輝度変化警告画面データを映像処理部１７４に出力する。
【００４３】
映像設定画面には、放送映像の輝度範囲がＨＤＲであるときに表示すべきＨＤＲ映像設定画面と、放送映像の輝度範囲がＳＤＲであるときに表示すべきＳＤＲ映像設定画面とがある。輝度範囲の差異により、設定可能な輝度の範囲やコントラストの範囲が異なるためである。表示制御部１７７は、輝度情報が示す輝度範囲がＨＤＲであって、入力部１２から映像設定画面の表示を指示する操作信号が入力されるとき、記憶部１６からＨＤＲ映像設定画面データを読み取る。表示制御部１７７は、読み取ったＨＤＲ映像設定画面データを映像処理部１７４に出力する。表示制御部１７７は、輝度情報が示す輝度範囲がＳＤＲであって、入力部１２から映像設定画面の表示を指示する操作信号が入力されるとき、記憶部１６からＳＤＲ映像設定画面データを読み取る。表示制御部１７７は、読み取ったＳＤＲ映像設定画面データを映像処理部１７４に出力する。即ち、表示制御部１７７は、輝度範囲の変更に応じて表示させる映像設定画面を変更する。
【００４４】
このように、表示制御部１７７は、レベル制御部１７９が、輝度範囲が変更されると判定するとき、変更後の輝度範囲に係る輝度変化警告画面を表示部１５に表示させる。また、表示制御部１７７は、映像設定画面の表示を指示する操作信号が入力されるとき、表示制御部１７７は、変更後の輝度範囲に係る映像設定画面を表示部１５に表示させる。
【００４５】
選局部１７８は、入力部１２から入力された操作信号から放送信号を受信するチャンネルを識別する。選局部１７８は、識別したチャンネルを指示する選局信号を生成し、生成した選局信号を放送受信部１１に出力する。
【００４６】
レベル制御部１７９は、ＳＩ処理部１７６から入力された輝度情報と番組情報に基づいて放送映像の信号レベルを制御する。レベル制御部１７９は、ＳＩ処理部１７６から入力された輝度情報に基づいて、放送番組データに含まれる映像データの輝度が基準値よりも高いか否か判定する。
【００４７】
なお、送信装置２０が送信する映像データには、特定のディスプレイ装置におけるＥＯＴＦ（基準ＥＯＴＦ）の特性を相殺するために信号値に予めＯＥＴＦ（光電伝達関数）がかけられていることがある。表示部１５からの最終の出力値（輝度）が映像データの当初の入力値の一定の倍率となるように、レベル制御部１７９は、制限された信号値について所定の補正係数を用いて補正する。この補正は、ガンマ補正と呼ばれることがある。補正係数は、入力値と出力値との関係を示す変換テーブルとして与えられてもよい。ＳＤＲとＨＤＲとでは、補正係数が異なることがある。例えば、レベル制御部１７９は、ＳＤＲからＨＤＲへの輝度範囲の変更が指示される時刻ｔ３においてＳＤＲの補正係数をＨＤＲの補正係数に切り替えてもよい。また、レベル制御部１７９は、ＨＤＲからＳＤＲへの輝度範囲の変更が指示される時刻ｔ４においてＨＤＲの補正係数をＳＤＲの補正係数に切り替えてもよい。
レベル制御部１７９は、最大値を制限した信号値に対応する補正係数を用いて信号値を補正する。
【００４８】
（輝度範囲の時間変化）
次に、放送番組を構成する映像の輝度範囲の時間変化の例について説明する。
図１０は、映像の輝度範囲の時間変化の例を示す図である。
図１０に示す例では、時刻ｔ０から時刻ｔ１までＳＤＲ映像を含む番組Ａが、時刻ｔ１から時刻ｔ６まで番組Ｂが、時刻ｔ６からｔ７までＳＤＲ映像を含む番組Ｃが放送される。番組Ｂ内では、映像の輝度範囲が切り替わる。輝度範囲は、番組の一部であるコーナー（セグメントとも呼ばれる）の切り替わりに応じて変化することもある。図１０に示す例では、輝度範囲は、時刻ｔ２、ｔ４、ｔ６においてＨＤＲからＳＤＲに、時刻ｔ３、ｔ５においてＳＤＲからＨＤＲに切り替わる。
【００４９】
次に、本実施形態に係る映像データを表示する輝度範囲の制御について説明する。
図１１は、本実施形態に係る輝度範囲の制御を示すフローチャートである。
（ステップＳ１０１）分離部１７２は、受信した放送信号で搬送された多重化データからサービス情報を分離する。ＳＩ処理部１７６は、分離されたサービス情報を解析して輝度情報と番組情報を取得する。その後、ステップＳ１０２の処理に進む。
（ステップＳ１０２）レベル制御部１７９は、輝度情報が示す輝度範囲がＳＤＲからＨＤＲに変化したか否かを判定する。ＳＤＲからＨＤＲに変化したと判定されたとき（ステップＳ１０２  ＹＥＳ）、判定結果を映像処理部１７４に出力し、ステップＳ１０３の処理に進む。ＳＤＲからＨＤＲに変化していないと判定されたとき（ステップＳ１０２  ＮＯ）、ステップＳ１０１の処理に戻る。
【００５０】
（ステップＳ１０３）映像処理部１７４は、ＨＤＲに切り替えるか否かを問い合わせる通情報を生成する。その後、ステップＳ１０４の処理に進む。
（ステップＳ１０４）映像処理部１７４は、生成された通知情報を表示部１５に表示させる。その後、ステップＳ１０５の処理に進む。
（ステップＳ１０５）映像処理部１７４は、入力部１２から入力される、ＨＤＲに切り替えるか否かの指示を取得する。そして、映像処理部１７４は、ＨＤＲに切り替える指示が入力されたと判定された場合には（ステップＳ１０６  ＹＥＳ）、レベル制御部１７９によって指示された輝度にて映像データを表示部１５に表示する。その後、ステップＳ１０１の処理に進む。
一方、映像処理部１７４は、ＨＤＲに切り替えることを表す指示ではない場合には（ステップＳ１０６  ＮＯ）、ステップＳ１０８の処理に進む。
（ステップＳ１０８）映像処理部１７４は、輝度の制限の指示が入力されていると判定した場合には（ステップＳ１０８  ＹＥＳ）、ステップＳ１０９の処理に進む。映像処理部１７４は、輝度の制限の指示が入力されていないと判定した場合には（ステップＳ１０８  ＮＯ）、ステップＳ１１０の処理に進む。
（ステップＳ１０９）映像処理部１７４は、指定された輝度の上限値に対応した輝度で映像データを表示部１５に表示する。そして、ステップＳ１０１の処理に進む。
（ステップＳ１１０）映像処理部１７４は、輝度の制限の指示が入力されていない、すなわち、ＳＤＲにて表示することを表す指示である場合、ＳＤＲにて映像データを表示部１５に表示する。そして、ステップＳ１０１の処理に進む。
【００５１】
次に、本実施形態に係るテスト映像に対する回答に応じた表示を行う処理について説明する。図１２は、本実施形態に係るテスト映像に対する回答に応じた表示を行う処理を示すフローチャートである。
（ステップＳ２０１）表示制御部１７７は、テスト映像表示の指示が入力部１２から入力されたか否かを判定する。表示制御部１７７は、テスト映像表示の指示が入力されたと判定した場合に（ステップＳ２０１  ＹＥＳ）、テスト映像を表示する指示を映像処理部１７４に出力する。そして、ステップＳ２０２の処理に進む。
（ステップＳ２０２）映像処理部１７４は、テスト映像表示の指示が入力されると、テスト映像を表示部１５に表示させる。そして、ステップＳ２０３の処理に進む。このテスト映像は、予め記憶部１６に記憶しておき、これを読み出すことで表示するようにしてもよい。
【００５２】
（ステップＳ２０３）表示制御部１７７は、テスト映像が表示されると、映像処理部１７４に対し、回答入力画面を表示させる指示を出力する。映像処理部１７４は、回答入力画面を表示させる指示に従って、回答入力画面を表示部１５に表示する。この回答入力画面は、テスト映像の表示が終了した後でもよいし、また、テスト映像とともに表示してもよい。回答入力画面をテスト映像とともに表示する場合、表示部１５の表示領域のうち、テスト映像が表示されていない領域に表示するようにしてもよく、また、テスト映像が表示された領域の一部に表示するようにしてもよい。そして、ステップＳ２０４の処理に進む。
【００５３】
（ステップＳ２０４）入力部１２は、視聴者から入力される回答を取得する。そしてステップＳ２０５の処理に進む。
（ステップＳ２０５）レベル制御部１７９は、入力部１２に入力された回答が「影響あり」を表す情報である場合には（ステップＳ２０５  ＹＥＳ）、ＨＤＲへの切り替えるＨＤＲ制御を行わないことを映像処理部１７４に指示する。そして、ステップＳ２０６の処理に進む。一方、入力部１２に入力された回答が「影響あり」を表す情報ではない場合、すなわち、「影響なし」である場合には、（ステップＳ２０５  ＮＯ）、ＨＤＲ制御を行うことを映像処理部１７４に指示する。そして、ステップＳ２０８の処理に進む。
【００５４】
（ステップＳ２０６）映像処理部１７４は、分離部１７２から映像データが入力されたか否かを判定し、入力されていない場合には（ステップＳ２０６  ＮＯ）、一定時間後に、再度ステップＳ２０７に進む。一方、映像処理部１７４は、分離部１７２から映像データが入力されている場合には（ステップＳ２０６  ＹＥＳ）、ステップＳ２０７の処理に進む。
（ステップＳ２０７）映像処理部１７４は、ＨＤＲ制御を行わない指示に基づいて、入力された映像データをＳＤＲの輝度に従って表示部１５に表示する。
（ステップＳ２０８）映像処理部１７４は、入力される映像データの輝度範囲がＨＤＲであるか否かを判定する。映像データの輝度範囲がＨＤＲである場合（ステップＳ２０８  ＹＥＳ）、ステップＳ２０９の処理に進め、映像データの輝度範囲がＨＤＲではない場合（ステップＳ２０８  ＮＯ）、ステップＳ２１０の処理に進める。
【００５５】
（ステップＳ２０９）映像処理部１７４は、入力される映像データの輝度範囲がＨＤＲである場合、ＨＤＲにて映像データを表示部１５に表示させる。
（ステップＳ２１０）映像処理部１７４は、入力される映像データがＨＤＲの輝度範囲ではない場合、すなわち、ＳＤＲの輝度範囲である場合（ステップＳ２０８  ＮＯ）、入力された映像データをＳＤＲにて表示部１５に表示させる。
【００５６】
次に、受信装置１０の表示部１５に表示される情報の一例について説明する。
図１３は、表示部１５に表示される情報の一例を説明する概念図である。
映像処理部１７４は、映像データをＳＤＲで表示部１５に表示し（図１３符号Ａ）、映像データの輝度範囲がＨＤＲに切り替わった場合には、映像データをＨＤＲにて表示するとともに、「ＨＤＲ表示に切り替わりました。部屋を明るくして離れて視聴して下さい。」とのメッセージを表示部１５に表示する（図１３符号Ｂ）。この表示は、例えば、映像データをＳＤＲで表示している際に、ＨＤＲの映像データが入力されたことに応じて行われる。すなわち、ＳＤＲ表示からＨＤＲ表示に切り替えてもよい旨の指示を予め入力部１２から受けていた場合において、入力される映像データが、ＳＤＲの映像データからＨＤＲの映像データに切り替わることに応じて、ＨＤＲにて映像データを表示しつつ、図１３符号Ｂに示すようなメッセージを一定時間表示する。
これにより、視聴者に対して、ＨＤＲ表示に切り替わったことを通知することができる。視聴者は、この通知を視認することで、映像データの輝度範囲がＨＤＲに切り替わったことを容易に把握することができる。
【００５７】
図１４は、表示部１５に表示される情報の一例を説明する概念図である。
映像処理部１７４は、映像データをＳＤＲにて表示部１５に表示し（図１４符号Ａ）、入力される映像データの輝度範囲がＳＤＲからＨＤＲに切り替わることに応じて、「ＨＤＲ表示に切り替えることができます。」とのメッセージを表示する。視聴者によってこのメッセージが確認され、ＳＤＲ表示からＨＤＲ表示に切り替える指示が入力されると、映像処理部１７４は、映像データをＨＤＲにて表示しつつ、例えば、「ＨＤＲ表示に切り替わりました。部屋を明るくして離れて視聴して下さい。」とのメッセージを一定時間表示する。これにより、視聴者は、ＨＤＲに切り替えることを自分自身で判断した上で、ＨＤＲに切り替えることができる。
【００５８】
図１５は、ＨＤＲの映像データを表示する際の輝度を視聴者の指示に応じて決定する場合について説明する図である。
映像処理部１７４は、初期設定時または受信装置１０の設定メニューにおいて、ＨＤＲにて映像データを表示する際の輝度を設定する指示が入力されると、例えば、風景映像である輝度設定用映像（図１５符号Ａ）とともに、輝度を上げるまたは下げる（輝度範囲を広くする又は狭くする）調整が可能な調整用ボリュームを表示部１５に表示する。なお、輝度設定用映像は、風景映像の代わりに、動きがあり輝度が変化するような画像でもよい。映像処理部１７４は、入力部１２を介してつまみ（図１５符号Ｂ）が操作されると、その操作内容に応じて輝度設定用映像の輝度を上げてまたは下げて表示部１５に表示する。視聴者によって制御装置ＲＣの決定ボタン等が押下されることで設定完了の指示が入力されると、レベル制御部１７９は、そのつまみの位置に対応した輝度をＨＤＲにて表示する際の輝度の上限値として映像処理部１７４に指示する。ここでは、調整用ボリュームの左端部をＳＤＲにおける輝度範囲、右端部をＨＤＲにおける輝度範囲とし、その間の位置に対応する輝度範囲における最大値を、輝度の上限値とすることができる。
これにより、視聴者は、輝度設定用映像によって映像の輝度を実際に視認しつつ、自身の好みに応じた輝度となるように、調整用ボリュームによってつまみを移動させて、輝度の上限値を設定することができる。
【００５９】
図１６は、ＨＤＲの映像データを設定された輝度の上限値で表示する場合について説明する図である。
映像処理部１７４は、入力されるＳＤＲの映像データを表示している際に、ＨＤＲの映像データが入力されると、ＨＤＲの映像データをＳＤＲにて表示しつつ、通知情報を表示部１５に表示する。ここで表示される通知情報は、例えば、「ＨＤＲ表示に切り替えることができます。切り替えると輝度が大きくなり不快と感じることがあります。ＨＤＲ表示に切り替えますか」とのメッセージと、切り替えを行うか否かを選択する選択肢である。選択肢としては、ＨＤＲにて表示することを示す「はい」、ＨＤＲの映像データをＳＤＲの輝度範囲よりも広くかつＨＤＲの輝度範囲よりも狭い範囲にて表示する「輝度を制限して切り替え」、ＨＤＲへの切り替えを行わないことを示す「いいえ」の３種類がある。映像処理部１７４は、この選択肢のうち選択されたいずれか１つの指示に従い、ＨＤＲの映像データを表示部１５に表示する。ここで、「輝度を制限して切り替え」が選択された場合、映像処理部１７４は、図１５において説明した調整用ボリュームを用いて設定された輝度の上限値に従って、映像データを表示する。なお、映像処理部１７４は、記憶部１６に予め記憶された上限値、サービス情報に含まれて映像データとともに送信された上限値を表す輝度、のいずれかを用いるようにしてもよい。
映像処理部１７４は、「はい」又は「輝度を制限して切り替え」のいずれ一方が選択されると、ＨＤＲの輝度または輝度の上限値に従ってＨＤＲの映像データを表示するとともに、「ＨＤＲ表示に切り替わりました。部屋を明るくして離れて視聴して下さい。」とのメッセージを一定時間表示する（図１６符号Ｂ）。
これにより、視聴者は、「はい」を選択した場合には、ＨＤＲの映像データをＨＤＲにて視聴することができる。また、「輝度を制限して切り替え」を選択した場合には、輝度範囲の最小値がＳＤＲの輝度範囲の最小値であり、輝度範囲の最大値が、ＨＤＲの輝度範囲における最大値とＨＤＲの輝度範囲の最大値との間のいずれかの輝度とした輝度範囲にて視聴することができる。このように、視聴者は、輝度の上限値に従って表示するか、ＳＤＲにて表示するかを、選択した上で、選択された輝度に応じた映像データを視聴することができる。
なお、設定メニューや初期設定において、映像処理部１７４は、ＨＤＲ制御の際、輝度を制限するか否かを設定できるようにしておいて、図１６のガイド文に「ＨＤＲ表示に切り替えることができます。輝度を制限する設定がされていますが、切り替えると輝度が大きくなり不快と感じることがあります。ＨＤＲ表示に切り替えますか」とし、選択肢を「はい」「いいえ」として表示し、「はい」が選択されると、輝度を制限して切り替えるように制御してもよい。
【００６０】
図１７は、光刺激に対する視聴者の反応を得る場合について説明する図である。
映像処理部１７４は、受信装置１０の設定メニューや初期設定時において、光過敏テストを行うか否かを問い合わせる画面を表示部１５に表示させる（図１７符号Ａ）。この問い合わせ画面を視認した視聴者によって光過敏テストを行わないことを指示する「いいえ」が選択されると、光過敏テストを行わない。一方、「はい」が選択された場合、映像処理部１７４は、表示部１５にテスト映像を表示する（図１７符号Ｂ）。このテスト映像は、例えば、少なくとも一部にＨＤＲにて表示する場合と同じ程度の輝度で表示される映像データであり、再生時間が数十秒あるいは数分程度の映像データである。このテスト映像は、予め記憶部１６に記憶されていてもよい。映像処理部１７４は、テスト映像の表示が終了すると、テスト映像に対する視聴者からの回答を取得するためのメッセージ（例えば、「テスト映像を見て気分が悪くなるなど体調への悪影響はありましたか？」等）と選択肢とを表示する（図１７符号Ｃ）。この選択肢のうち、視聴者によって「はい」が選択されると、レベル制御部１７９は、映像処理部１７４に対し、ＨＤＲ表示を行わないことを指示する。これにより、ＨＤＲの映像データが入力されたとしても、ＨＤＲではなくＳＤＲにて映像データが表示される。一方、「いいえ」が選択された場合には、レベル制御部１７９は、映像処理部１７４に対し、ＨＤＲの映像データについてＨＤＲにて表示するよう指示する。ＨＤＲの映像データは、ＨＤＲの輝度（または輝度の上限値）にて表示される。
これにより、視聴者が光過敏症となる可能性があるか否かを事前に確認し、その結果に応じて、ＨＤＲの輝度にて表示するか否かを決定することができる。
【００６１】
図１８は、受信装置１０の設定メニューや初期設定において、ＨＤＲの輝度にて表示するか否かを設定する場合について説明する図である。映像処理部１７４は、設定メニューや初期設定において、ＨＤＲ制御を行うか否かを問い合わせるメッセージ（例えば、「ＨＤＲ対応の画像を表示する場合、ＨＤＲ制御を行いますか？」等）と選択肢とを表示部１５に表示する（図１８）。レベル制御部１７９は、「はい」が選択されると、ＨＤＲの映像データについてＨＤＲの輝度にて表示する指示を映像処理部１７４に出力し、「いいえ」が選択されると、ＨＤＲの映像データについて、ＳＤＲの輝度にて表示する指示を映像処理部１７４に出力する。視聴者は、この設定を行っておくことで、それ以後においてＨＤＲの映像データが入力された場合には、その入力される都度、ＨＤＲにて表示するか否かを選択することなく、ＨＤＲの映像データをＨＤＲに対応した輝度によって視聴することができる。
【００６２】
図１９は、光過敏症の視聴者が受信装置１０の利用者の中にいるか否かを問い合わせする場合について説明する図である。
映像処理部１７４は、設定メニューや初期設定において、光過敏症の視聴者が受信装置１０を利用する利用者にいるか否かを問い合わせるメッセージ（例えば、「このテレビを使うユーザの中に光過敏の方は含まれますか？」等）と選択肢とを表示部１５に表示する（図１９）。レベル制御部１７９は、「はい」が選択されると、ＨＤＲの映像データについて、ＳＤＲの輝度にて表示する指示を映像処理部１７４に出力し、「いいえ」が選択されると、ＨＤＲの映像データについてＨＤＲの輝度にて表示する指示を映像処理部１７４に出力する。視聴者は、この設定を行っておくことで、それ以後においてＨＤＲの映像データが入力された場合には、その入力される都度、ＨＤＲにて表示するか否かを選択することなく、ＨＤＲの映像データをＳＤＲに対応した輝度によって視聴することができる。
【００６３】
上述では、受信装置１０が、主に放送信号で搬送された映像データに基づく放送番組の映像を表示する場合を例にしたが、上述した輝度範囲の制御は、予め記憶部１６に記録された映像データに基づく映像を表示する場合に適用されてもよい。その場合、映像処理部１７４は、分離部１７２から映像データと当該映像データに対応したサービス情報が入力されることに代え、録画再生の指示を示す操作信号の入力部１２からの入力に応じて映像データとサービス情報を記憶部１６から読み出す。その場合、ＳＩ処理部１７６も、分離部１７２から当該サービス情報が入力されることに代え、記憶部１６に記憶された当該サービス情報を取得する。
【００６４】
また、上述では、映像データとともに輝度情報が送信される場合について説明したが、ＨＤＲの映像データを送信するよりも前にその映像データに対する輝度情報を送信しておいてもよい。
【００６５】
また、上述した受信装置１０においては、映像データが切り替わった際に輝度の制御を行う場合について説明したが、視聴者によって視聴中のチャンネルが変更された際に、チャンネル変更後の映像データの輝度範囲が、基準値よりも高いか否かを判定するようにしてもよい。また、受信装置１０の電源投入時に、表示対象として選択されているチャンネルの映像データについて、その輝度範囲が、基準値よりも高いか否かを判定するようにしてもよい。
【００６６】
また、上述した受信装置１０において、輝度情報として輝度を用いる場合について説明したが、コントラスト比を用いるようにしてもよい。この場合、基準値について、コントラスト比のいずれかの値が基準値として用いられる。また、輝度の上限値については、コントラスト比の上限値が用いられる。
【００６７】
なお、上述した実施形態における各種の数値は例示であって、それらの値を限定するものではない。例えば、図２に示す信号レベル５０％、１００％、輝度３００ｃｄ／ｍ２、６０００ｃｄ／ｍ２などの数値は、別個の数値（例えば、信号レベル７０％、１００％、輝度８００ｃｄ／ｍ２、６０００ｃｄ／ｍ２）であってもよい。例えば、図１４に示す輝度１００ｃｄ／ｍ２、２０００ｃｄ／ｍ２などの数値は、別個の数値（例えば、輝度７５ｃｄ／ｍ２、１５００ｃｄ／ｍ２）であってもよい。
【００６８】
なお、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Ｒｅａｌ−ｔｉｍｅ  Ｔｒａｎｓｐｏｒｔ  Ｐｒｏｔｏｃｏｌ）方式などのメディアトランスポート方式が用いられてもよい。
【００６９】
上述した受信装置１０によれば、映像データを表示する際に、輝度の最大値が高くなるような輝度範囲に変化する場合に、通知情報を表示することで、視聴者に対し、注意喚起することが可能となる。この通知情報を表示することで、表示される映像データの輝度範囲に対応した適切な視距離、適切な部屋の明るさを確保して視聴するように、視聴者に対して注意喚起することが可能である。また、テスト映像を表示し、このテスト映像の光刺激又は光感受性に対するユーザの反応を得るようにしたので、体調不良等を感じる可能性があるか否かを事前に視聴者に把握してもらい、輝度範囲を決めることができる。また、子供等について、ＨＤＲにて視聴する際に注意が必要であることも視聴者に対して気づきを与えることができる。
【００７０】
上述した実施形態における受信装置１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００７１】
以上、この発明の実施形態について図面を参照して詳述してきたが、具体的な構成はこの実施形態に限られるものではなく、この発明の要旨を逸脱しない範囲の設計等も含まれる。
【符号の説明】
【００７２】
１…放送システム
１０…受信装置
１１…放送受信部
１２…入力部
１４…拡声部
１５…表示部
１６…記憶部
１７…制御部
１７１…復調部
１７２…分離部
１７３…音声処理部
１７４…映像処理部
１７５…表示処理部
１７６…ＳＩ処理部
１７７…表示制御部
１７８…選局部
１７９…レベル制御部
２０…送信装置
２１０…サービス情報取得部
２２０…放送コンテンツ取得部
２３０…多重化部
２４０…変調部
２５０…送信部
ＢＴ…放送伝送路
ＢＳ…放送衛星
ＲＣ…制御装置
【図１】
2017047466.tif 000003
【図２】
2017047466.tif 000004
【図３】
2017047466.tif 000005
【図４】
2017047466.tif 000006
【図５】
2017047466.tif 000007
【図６】
2017047466.tif 000008
【図７】
2017047466.tif 000009
【図８】
2017047466.tif 000010
【図９】
2017047466.tif 000011
【図１０】
2017047466.tif 000012
【図１１】
2017047466.tif 000013
【図１２】
2017047466.tif 000014
【図１３】
2017047466.tif 000015
【図１４】
2017047466.tif 000016
【図１５】
2017047466.tif 000017
【図１６】
2017047466.tif 000018
【図１７】
2017047466.tif 000019
【図１８】
2017047466.tif 000020
【図１９】
2017047466.tif 000021
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
コンテンツに含まれる映像の輝度情報を取得する取得部と、
前記コンテンツの輝度が基準値よりも高いか否か判定する輝度判定部と、
前記輝度が前記基準値より高い場合に、通知情報を出力する出力部と、
を有する受信装置。
【請求項２】
前記輝度判定部の判定結果に基づいて、前記輝度が前記基準値より高い場合に、前記通知情報を生成する通知情報生成部を有し、
前記通知情報は、輝度に関する情報であり、
前記取得部は、前記コンテンツのサービス情報から、前記輝度情報を取得し、
前記輝度判定部は、前記輝度情報に基づいて、前記コンテンツの輝度が前記基準値よりも高いか否か判定する請求項１に記載の受信装置。
【請求項３】
前記通知情報が出力された後に、前記コンテンツを表示する輝度の上限値を上げる指示が入力されると、前記指示に応じた輝度で前記コンテンツを表示部に表示させる映像処理部
を有する請求項２記載の受信装置。
【請求項４】
前記基準値は、入力部を介して行われるユーザからの入力、前記コンテンツを表示する輝度の上限値を示す情報、のうち少なくともいずれか１つに基づいて決定される
請求項２または請求項３記載の受信装置。
【請求項５】
前記コンテンツを表示する輝度の上限値を指定する情報は、前記サービス情報に含まれている
請求項４記載の受信装置。
【請求項６】
前記通知情報は、前記コンテンツを表示する輝度を定められた輝度に制限するか否かを問い合わせる情報を含み、
前記映像処理部は、前記制限することを表す指示が入力されると、前記コンテンツを前記定められた輝度に収まるように前記表示部に表示させる
請求項３から請求項５のうちいずれか１項に記載の受信装置。
【請求項７】
前記定められた輝度は、入力部を介して行われるユーザからの入力または、前記サービス情報に含まれる情報に基づいて決定される。
請求項６記載の受信装置。
【請求項８】
表示される映像から受ける光刺激又は光感受性に対するユーザの反応を得るためのテスト映像を表示させるテスト映像表示制御部と、
前記テスト映像に対するユーザからの回答を取得するテスト回答取得部と、を有し、
前記映像処理部は、前記テスト回答取得部が取得した回答が、前記基準値よりも高い輝度のコンテンツを視聴可能であることを表す回答である場合に、前記基準値よりも高い輝度でコンテンツを表示部に表示させる
請求項３から請求項７のうちいずれか１項に記載の受信装置。
【請求項９】
表示される映像から受ける光刺激又は光感受性に対するユーザの反応を得るためのテスト映像を表示させるテスト映像表示制御部と、
前記テスト映像に対するユーザからの回答を取得するテスト回答取得部と、
前記テスト回答取得部が取得した回答に応じた輝度に従ってコンテンツを表示部に表示させる映像処理部と、
を有する受信装置。
【請求項１０】
コンテンツに含まれる映像の輝度情報を取得する取得部と、
前記コンテンツの輝度が基準値よりも高いか否か判定する輝度判定部と、
前記輝度が前記基準値より高い場合に、通知情報を出力する出力部と、
前記出力部が出力する前記通知情報を表示する表示部と、
を有するテレビジョン受信装置。
【請求項１１】
受信装置における受信方法であって、
コンテンツに含まれる映像の輝度情報を取得する取得ステップと、
前記コンテンツの輝度が基準値よりも高いか否か判定する輝度判定ステップと、
前記輝度が前記基準値より高い場合に、通知情報を出力する出力ステップと、
を有する受信方法。
【請求項１２】
受信装置のコンピュータに、
コンテンツに含まれる映像の輝度情報を取得する取得ステップと、
前記コンテンツの輝度が基準値よりも高いか否か判定する輝度判定ステップと、
前記輝度が前記基準値より高い場合に、通知情報を出力する出力ステップと、
を実行させるためのプログラム。
【手続補正３】
【補正対象書類名】明細書
【補正対象項目名】００５９
【補正方法】変更
【補正の内容】
【００５９】
図１６は、ＨＤＲの映像データを設定された輝度の上限値で表示する場合について説明する図である。
映像処理部１７４は、入力されるＳＤＲの映像データを表示している際に、ＨＤＲの映像データが入力されると、ＨＤＲの映像データをＳＤＲにて表示しつつ、通知情報を表示部１５に表示する。ここで表示される通知情報は、例えば、「ＨＤＲ表示に切り替えることができます。切り替えると輝度が大きくなり不快と感じることがあります。ＨＤＲ表示に切り替えますか」とのメッセージと、切り替えを行うか否かを選択する選択肢である。選択肢としては、ＨＤＲにて表示することを示す「はい」、ＨＤＲの映像データをＳＤＲの輝度範囲よりも広くかつＨＤＲの輝度範囲よりも狭い範囲にて表示する「輝度を制限して切り替え」、ＨＤＲへの切り替えを行わないことを示す「いいえ」の３種類がある。映像処理部１７４は、この選択肢のうち選択されたいずれか１つの指示に従い、ＨＤＲの映像データを表示部１５に表示する。ここで、「輝度を制限して切り替え」が選択された場合、映像処理部１７４は、図１５において説明した調整用ボリュームを用いて設定された輝度の上限値に従って、映像データを表示する。なお、映像処理部１７４は、記憶部１６に予め記憶された上限値、サービス情報に含まれて映像データとともに送信された上限値を表す輝度、のいずれかを用いるようにしてもよい。
映像処理部１７４は、「はい」又は「輝度を制限して切り替え」のいずれ一方が選択されると、ＨＤＲの輝度または輝度の上限値に従ってＨＤＲの映像データを表示するとともに、「ＨＤＲ表示に切り替わりました。部屋を明るくして離れて視聴して下さい。」とのメッセージを一定時間表示する（図１６符号Ｂ）。
これにより、視聴者は、「はい」を選択した場合には、ＨＤＲの映像データをＨＤＲにて視聴することができる。また、「輝度を制限して切り替え」を選択した場合には、輝度範囲の最小値がＳＤＲの輝度範囲の最小値であり、輝度範囲の最大値が、ＨＤＲの輝度範囲における最小値とＨＤＲの輝度範囲の最大値との間のいずれかの輝度とした輝度範囲にて視聴することができる。このように、視聴者は、輝度の上限値に従って表示するか、ＳＤＲにて表示するかを、選択した上で、選択された輝度に応じた映像データを視聴することができる。
なお、設定メニューや初期設定において、映像処理部１７４は、ＨＤＲ制御の際、輝度を制限するか否かを設定できるようにしておいて、図１６のガイド文に「ＨＤＲ表示に切り替えることができます。輝度を制限する設定がされていますが、切り替えると輝度が大きくなり不快と感じることがあります。ＨＤＲ表示に切り替えますか」とし、選択肢を「はい」「いいえ」として表示し、「はい」が選択されると、輝度を制限して切り替えるように制御してもよい。
【国際調査報告】
2017047466.tif 000022
2017047466.tif 000023
2017047466.tif 000024
2017047466.tif 000025